【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
ファイル中のトラックのためのメタデータを含むトラックボックスを備える前記ファイルを生成することを備え、
前記トラックのためのメディアデータは、サンプルのシーケンスを備え、前記サンプルの各々は、前記マルチレイヤビデオデータのビデオアクセスユニットであり、
前記ファイルを生成することは、前記ファイル中に、サブサンプル情報ボックス中で与えられるサブサンプル情報のタイプを指定するフラグを含む前記サブサンプル情報ボックスを生成することを備え、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記サブサンプル情報ボックスを生成することは、前記フラグが前記特定の値を有することに基づいて、前記サブサンプル情報ボックスに、前記サブサンプルの各ＮＡＬユニットのレイヤ識別子を示す追加の値を含めることを備える、方法。
【請求項２】
前記サブサンプル情報ボックスを生成することは、
前記フラグが前記特定の値を有することに基づいて、前記サブサンプル情報ボックスに、前記サブサンプルの前記ＶＣＬ  ＮＡＬユニットのすべてが廃棄可能かどうかを示す追加のフラグを含めることを備える、請求項１に記載の方法。
【請求項３】
前記サブサンプル情報ボックスを生成することは、
前記フラグが前記特定の値を有することに基づいて、前記サブサンプル情報ボックスに、前記サブサンプルのＶＣＬ  ＮＡＬユニットのＮＡＬユニットタイプを示す追加の値を含めることを備え、
前記サブサンプルのすべての前記ＶＣＬ  ＮＡＬユニットは、同じＮＡＬユニットタイプを有する、請求項１に記載の方法。
【請求項４】
前記サブサンプル情報ボックスを生成することは、
前記フラグが前記特定の値を有することに基づいて、前記サブサンプル情報ボックスに、前記サブサンプルの各ＮＡＬユニットの時間識別子を示す追加の値を含めることを備える、請求項１に記載の方法。
【請求項５】
前記サブサンプル情報ボックスを生成することは、
前記フラグが前記特定の値を有することに基づいて、前記サブサンプル情報ボックスに、レイヤ間予測が前記サブサンプルのすべてのＶＣＬ  ＮＡＬユニットに対してイネーブルにされるかどうかを示す追加のフラグを含めることを備える、請求項１に記載の方法。
【請求項６】
前記サブサンプル情報ボックスを生成することは、
前記フラグが前記特定の値を有することに基づいて、前記サブサンプル情報ボックスに、前記サブサンプル中のすべてのＮＡＬユニットがサブレイヤ非参照ピクチャのＶＣＬ  ＮＡＬユニットであるかどうかを示す追加のフラグを含めることを備える、請求項１に記載の方法。
【請求項７】
前記マルチレイヤビデオデータを符号化することをさらに備える、請求項１に記載の方法。
【請求項８】
マルチレイヤビデオデータを処理する方法であって、
ファイルから、前記ファイル中のトラックのためのメタデータを含むトラックボックスを取得することと、ここにおいて、前記トラックのためのメディアデータはサンプルのシーケンスを備え、前記サンプルの各々は前記マルチレイヤビデオデータのビデオアクセスユニットであり、
前記ファイルから、サブサンプル情報ボックス中で与えられるサブサンプル情報のタイプを指定するフラグを含む前記サブサンプル情報ボックスを取得することと、を備え、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記サブサンプル情報ボックスを取得することは、前記フラグが前記特定の値を有することに基づいて、前記サブサンプル情報ボックスから、前記サブサンプルの各ＮＡＬユニットのレイヤ識別子を示す追加の値を取得することを備える、方法。
【請求項９】
前記フラグが前記特定の値を有することに基づいて、前記サブサンプル情報ボックスから、前記サブサンプルの前記ＶＣＬ  ＮＡＬユニットのすべてが廃棄可能かどうかを示す追加のフラグを取得することを備える、請求項８に記載の方法。
【請求項１０】
前記フラグが前記特定の値を有することに基づいて、前記サブサンプル情報ボックスから、前記サブサンプルのＶＣＬ  ＮＡＬユニットのＮＡＬユニットタイプを示す追加の値を取得することを備え、
前記サブサンプルのすべての前記ＶＣＬ  ＮＡＬユニットが、同じＮＡＬユニットタイプを有する、請求項８に記載の方法。
【請求項１１】
前記フラグが前記特定の値を有することに基づいて、前記サブサンプル情報ボックスから、前記サブサンプルの各ＮＡＬユニットの時間識別子を示す追加の値を取得することを備える、請求項８に記載の方法。
【請求項１２】
前記フラグが前記特定の値を有することに基づいて、前記サブサンプル情報ボックスから、レイヤ間予測が前記サブサンプルのすべてのＶＣＬ  ＮＡＬユニットに対してイネーブルにされるかどうかを示す追加のフラグを取得することを備える、請求項８に記載の方法。
【請求項１３】
前記フラグが前記特定の値を有することに基づいて、前記サブサンプル情報ボックスから、前記サブサンプル中のすべてのＮＡＬユニットがサブレイヤ非参照ピクチャのＶＣＬ  ＮＡＬユニットであるかどうかを示す追加のフラグを取得することを備える、請求項８に記載の方法。
【請求項１４】
前記コーディングされたピクチャがオペレーティングポイントを復号するために必要とされるという、前記サブサンプル情報ボックスにおいて指定される前記情報に基づく決定に応答して、サブビットストリームに前記サブサンプルのＮＡＬユニットを含めることと、
前記サブビットストリームを出力することと、
をさらに備える、請求項８に記載の方法。
【請求項１５】
マルチレイヤビデオデータを記憶するように構成されるデータ記憶媒体と、
１つまたは複数のプロセッサ回路と、を備えるビデオデバイスであって、前記１つまたは複数のプロセッサ回路は、
ファイル中のトラックのためのメタデータを含むトラックボックスを備える前記ファイルを生成するように構成され、
前記トラックのためのメディアデータは、サンプルのシーケンスを備え、前記サンプルの各々は、前記マルチレイヤビデオデータのビデオアクセスユニットであり、
前記ファイルを生成するために、前記１つまたは複数のプロセッサ回路は、前記ファイル中に、サブサンプル情報ボックス中で与えられるサブサンプル情報のタイプを指定するフラグを含む前記サブサンプル情報ボックスを生成し、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記１つまたは複数のプロセッサ回路は、前記サブサンプル情報ボックスを生成することの一環として、前記１つまたは複数のプロセッサ回路が、前記フラグが前記特定の値を有することに基づいて、前記サブサンプル情報ボックスに、前記サブサンプルの各ＮＡＬユニットのレイヤ識別子を示す追加の値を含めるように構成される、ビデオデバイス。
【請求項１６】
前記１つまたは複数のプロセッサ回路は、
前記フラグが前記特定の値を有することに基づいて、前記サブサンプル情報ボックスに、前記サブサンプルの前記ＶＣＬ  ＮＡＬユニットのすべてが廃棄可能かどうかを示す追加のフラグを含めるように構成される、請求項１５に記載のビデオデバイス。
【請求項１７】
前記１つまたは複数のプロセッサ回路は、
前記フラグが前記特定の値を有することに基づいて、前記サブサンプル情報ボックスに、前記サブサンプルのＶＣＬ  ＮＡＬユニットのＮＡＬユニットタイプを示す追加の値を含めるように構成され、
前記サブサンプルのすべての前記ＶＣＬ  ＮＡＬユニットが、同じＮＡＬユニットタイプを有する、請求項１５に記載のビデオデバイス。
【請求項１８】
前記１つまたは複数のプロセッサ回路は、
前記フラグが前記特定の値を有することに基づいて、前記サブサンプル情報ボックスに、前記サブサンプルの各ＮＡＬユニットの時間識別子を示す追加の値を含めるように構成される、請求項１５に記載のビデオデバイス。
【請求項１９】
前記１つまたは複数のプロセッサ回路は、
前記フラグが前記特定の値を有することに基づいて、前記サブサンプル情報ボックスに、レイヤ間予測が前記サブサンプルのすべてのＶＣＬ  ＮＡＬユニットに対してイネーブルにされるかどうかを示す追加のフラグを含めるように構成される、請求項１５に記載のビデオデバイス。
【請求項２０】
前記１つまたは複数のプロセッサ回路は、
前記フラグが前記特定の値を有することに基づいて、前記サブサンプル情報ボックスに、前記サブサンプル中のすべてのＮＡＬユニットがサブレイヤ非参照ピクチャのＶＣＬ  ＮＡＬユニットであるかどうかを示す追加のフラグを含めるように構成される、請求項１５に記載のビデオデバイス。
【請求項２１】
前記１つまたは複数のプロセッサ回路は、
前記マルチレイヤビデオデータを符号化するように構成される、請求項１５に記載のビデオデバイス。
【請求項２２】
マルチレイヤビデオデータを記憶するように構成されるデータ記憶媒体と、
１つまたは複数のプロセッサ回路と、を備えるビデオデバイスであって、前記１つまたは複数のプロセッサ回路は、
ファイルから、前記ファイル中のトラックのためのメタデータを含むトラックボックスを取得することと、ここにおいて、前記トラックのためのメディアデータはサンプルのシーケンスを備え、前記サンプルの各々は前記マルチレイヤビデオデータのビデオアクセスユニットであり、
前記ファイルから、サブサンプル情報ボックス中で与えられるサブサンプル情報のタイプを指定するフラグを含む前記サブサンプル情報ボックスを取得することと、
を行うように構成され、前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記１つまたは複数のプロセッサ回路は、前記サブサンプル情報ボックスを取得することの一環として、前記１つまたは複数のプロセッサ回路が、前記フラグが前記特定の値を有することに基づいて、前記サブサンプル情報ボックスから、前記サブサンプルの各ＮＡＬユニットのレイヤ識別子を示す追加の値を取得するように構成される、ビデオデバイス。
【請求項２３】
前記１つまたは複数のプロセッサ回路は、
前記フラグが前記特定の値を有することに基づいて、前記サブサンプル情報ボックスから、前記サブサンプルの前記ＶＣＬ  ＮＡＬユニットのすべてが廃棄可能かどうかを示す追加のフラグを取得するように構成される、請求項２２に記載のビデオデバイス。
【請求項２４】
前記１つまたは複数のプロセッサ回路は、
前記フラグが前記特定の値を有することに基づいて、前記サブサンプル情報ボックスから、前記サブサンプルのＶＣＬ  ＮＡＬユニットのＮＡＬユニットタイプを示す追加の値を取得するように構成され、
前記サブサンプルのすべての前記ＶＣＬ  ＮＡＬユニットは、同じＮＡＬユニットタイプを有する、請求項２２に記載のビデオデバイス。
【請求項２５】
前記１つまたは複数のプロセッサ回路は、
前記フラグが前記特定の値を有することに基づいて、前記サブサンプル情報ボックスから、前記サブサンプルの各ＮＡＬユニットの時間識別子を示す追加の値を取得するように構成される、請求項２２に記載のビデオデバイス。
【請求項２６】
前記１つまたは複数のプロセッサ回路は、
前記フラグが前記特定の値を有することに基づいて、前記サブサンプル情報ボックスから、レイヤ間予測が前記サブサンプルのすべてのＶＣＬ  ＮＡＬユニットに対してイネーブルにされるかどうかを示す追加のフラグを取得するように構成される、請求項２２に記載のビデオデバイス。
【請求項２７】
前記１つまたは複数のプロセッサ回路は、
前記フラグが前記特定の値を有することに基づいて、前記サブサンプル情報ボックスから、前記サブサンプル中のすべてのＮＡＬユニットがサブレイヤ非参照ピクチャのＶＣＬ  ＮＡＬユニットであるかどうかを示す追加のフラグを取得するように構成される、請求項２２に記載のビデオデバイス。
【請求項２８】
前記１つまたは複数のプロセッサ回路は、
前記コーディングされたピクチャがオペレーティングポイントを復号するために必要とされるという、前記サブサンプル情報ボックスにおいて指定される前記情報に基づく決定に応答して、サブビットストリームに前記サブサンプルのＮＡＬユニットを含め、
前記サブビットストリームを出力するように構成される、請求項２２に記載のビデオデバイス。
【請求項２９】
ファイル中のトラックのためのメタデータを含むトラックボックスを備える前記ファイルを生成するための手段を備え、
前記トラックのためのメディアデータは、サンプルのシーケンスを備え、前記サンプルの各々は、マルチレイヤビデオデータのビデオアクセスユニットであり、
前記ファイルを生成することは、前記ファイル中に、サブサンプル情報ボックス中で与えられるサブサンプル情報のタイプを指定するフラグを含む前記サブサンプル情報ボックスを生成することを備え、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記サブサンプル情報ボックスを生成するための前記手段は、前記フラグが前記特定の値を有することに基づいて、前記サブサンプル情報ボックスに、前記サブサンプルの各ＮＡＬユニットのレイヤ識別子を示す追加の値を含めるための手段を備える、ビデオデバイス。
【請求項３０】
前記フラグが前記特定の値を有することに基づいて、前記サブサンプル情報ボックスに、
前記サブサンプルの前記ＶＣＬ  ＮＡＬユニットのすべてが廃棄可能であるかどうかを示す追加のフラグ、
前記サブサンプルのＶＣＬ  ＮＡＬユニットのＮＡＬユニットタイプを示す追加の値、ここにおいて、前記サブサンプルのすべての前記ＶＣＬ  ＮＡＬユニットは同じＮＡＬユニットタイプを有する、
前記サブサンプルの各ＮＡＬユニットの時間識別子を示す追加の値、
前記サブサンプルのすべてのＶＣＬ  ＮＡＬユニットに対してレイヤ間予測がイネーブルにされるかどうかを示す追加のフラグ、または、
前記サブサンプル中のすべてのＮＡＬユニットがサブレイヤ非参照ピクチャのＶＣＬ  ＮＡＬユニットであるかどうかを示す追加のフラグ、
のうちの１つまたは複数を含めるための手段を備える、請求項２９に記載のビデオデバイス。
【請求項３１】
ファイルから、前記ファイル中のトラックのためのメタデータを含むトラックボックスを取得するための手段と、ここにおいて、前記トラックのためのメディアデータはサンプルのシーケンスを備え、前記サンプルの各々はマルチレイヤビデオデータのビデオアクセスユニットであり、
前記ファイルから、サブサンプル情報ボックス中で与えられるサブサンプル情報のタイプを指定するフラグを含む前記サブサンプル情報ボックスを取得するための手段と、を備え、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記サブサンプル情報ボックスを取得するための前記手段は、前記フラグが前記特定の値を有することに基づいて、前記サブサンプル情報ボックスから、前記サブサンプルの各ＮＡＬユニットのレイヤ識別子を示す追加の値を取得するための手段を備える、ビデオデバイス。
【請求項３２】
前記フラグが前記特定の値を有することに基づいて、前記サブサンプル情報ボックスから、
前記サブサンプルの前記ＶＣＬ  ＮＡＬユニットのすべてが廃棄可能であるかどうかを示す追加のフラグ、
前記サブサンプルのＶＣＬ  ＮＡＬユニットのＮＡＬユニットタイプを示す追加の値、ここにおいて、前記サブサンプルのすべての前記ＶＣＬ  ＮＡＬユニットは同じＮＡＬユニットタイプを有する、
前記サブサンプルの各ＮＡＬユニットの時間識別子を示す追加の値、
前記サブサンプルのすべてのＶＣＬ  ＮＡＬユニットに対してレイヤ間予測がイネーブルにされるかどうかを示す追加のフラグ、または、
前記サブサンプル中のすべてのＮＡＬユニットがサブレイヤ非参照ピクチャのＶＣＬ  ＮＡＬユニットであるかどうかを示す追加のフラグ
のうちの１つまたは複数を取得するための手段を備える、請求項３１に記載のビデオデバイス。
【請求項３３】
実行されると、１つまたは複数のプロセッサ回路に、
ファイル中のトラックのためのメタデータを含むトラックボックスを備える前記ファイルを生成させる命令を記憶した、非一時的コンピュータ可読データ記憶媒体であって、
前記トラックのためのメディアデータは、サンプルのシーケンスを備え、前記サンプルの各々は、マルチレイヤビデオデータのビデオアクセスユニットであり、
前記ファイルを生成するために、前記命令は、前記１つまたは複数のプロセッサ回路に、前記ファイル中に、サブサンプル情報ボックス中で与えられるサブサンプル情報のタイプを指定するフラグを含む前記サブサンプル情報ボックスを生成させ、
前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
前記１つまたは複数のプロセッサ回路に、前記サブサンプル情報ボックスを生成させることの一環として、前記命令は、前記１つまたは複数のプロセッサ回路に、前記フラグが前記特定の値を有することに基づいて、前記サブサンプル情報ボックスに、前記サブサンプルの各ＮＡＬユニットのレイヤ識別子を示す追加の値を含めさせる、非一時的コンピュータ可読データ記憶媒体。
【請求項３４】
前記命令は、前記１つまたは複数のプロセッサ回路に、前記フラグが前記特定の値を有することに基づいて、前記サブサンプル情報ボックスに、
前記サブサンプルの前記ＶＣＬ  ＮＡＬユニットのすべてが廃棄可能であるかどうかを示す追加のフラグ、
前記サブサンプルのＶＣＬ  ＮＡＬユニットのＮＡＬユニットタイプを示す追加の値、ここにおいて、前記サブサンプルのすべての前記ＶＣＬ  ＮＡＬユニットは同じＮＡＬユニットタイプを有する、
前記サブサンプルの各ＮＡＬユニットの時間識別子を示す追加の値、
前記サブサンプルのすべてのＶＣＬ  ＮＡＬユニットに対してレイヤ間予測がイネーブルにされるかどうかを示す追加のフラグ、または、
前記サブサンプル中のすべてのＮＡＬユニットがサブレイヤ非参照ピクチャのＶＣＬ  ＮＡＬユニットであるかどうかを示す追加のフラグ
のうちの１つまたは複数を含めさせる、請求項３３に記載の非一時的コンピュータ可読データ記憶媒体。
【請求項３５】
実行されると、１つまたは複数のプロセッサ回路に、
ファイルから、前記ファイル中のトラックのためのメタデータを含むトラックボックスを取得することと、ここにおいて、前記トラックのためのメディアデータはサンプルのシーケンスを備え、前記サンプルの各々はマルチレイヤビデオデータのビデオアクセスユニットであり、
前記ファイルから、サブサンプル情報ボックス中で与えられるサブサンプル情報のタイプを指定するフラグを含む前記サブサンプル情報ボックスを取得することと、ここにおいて、前記フラグがある特定の値を有することに基づいて、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含み、
を行わせる命令を記憶し、
前記１つまたは複数のプロセッサ回路に、前記サブサンプル情報ボックスを取得させることの一環として、前記命令は、前記１つまたは複数のプロセッサ回路に、前記フラグが前記特定の値を有することに基づいて、前記サブサンプル情報ボックスから、前記サブサンプルの各ＮＡＬユニットのレイヤ識別子を示す追加の値を取得させる、非一時的コンピュータ可読データ記憶媒体。
【請求項３６】
前記フラグが前記特定の値を有することに基づいて、前記命令は、前記１つまたは複数のプロセッサ回路に、前記サブサンプル情報ボックスから、
前記サブサンプルの前記ＶＣＬ  ＮＡＬユニットのすべてが廃棄可能であるかどうかを示す追加のフラグ、
前記サブサンプルのＶＣＬ  ＮＡＬユニットのＮＡＬユニットタイプを示す追加の値、ここにおいて、前記サブサンプルのすべての前記ＶＣＬ  ＮＡＬユニットは同じＮＡＬユニットタイプを有する、
前記サブサンプルの各ＮＡＬユニットの時間識別子を示す追加の値、
前記サブサンプルのすべてのＶＣＬ  ＮＡＬユニットに対してレイヤ間予測がイネーブルにされるかどうかを示す追加のフラグ、または、
前記サブサンプル中のすべてのＮＡＬユニットがサブレイヤ非参照ピクチャのＶＣＬ  ＮＡＬユニットであるかどうかを示す追加のフラグ
のうちの１つまたは複数を取得させる、請求項３５に記載の非一時的コンピュータ可読データ記憶媒体。